(57)【要約】  Ｅ−ＨＩＣＨ（Ｅ−ＤＣＨ（Enhanced Dedicated Channel）Ｈ−ＡＲＱ（Hybrid Automatic Repeat reQuest）Indicator CHannel）送信を検出しかつ復号化するための無線通信方法および装置を開示する。無線送受信ユニット（Wireless Transmit/Receive Unit：ＷＴＲＵ）は、Ｅ−ＨＩＣＨ送信を受信し（２０２）、そしてバイナリ仮説テストを実行することによりＥ−ＨＩＣＨを介して送信されたＨ−ＡＲＱインジケータを検出する（２０４）。ＷＴＲＵは次に、検出されたＨ−ＡＲＱインジケータに基づき肯定応答（ACKnowledgement：ＡＣＫ）メッセージまたは否定応答（Non ACKnowledgement：ＮＡＣＫ）メッセージを生成する（２０６）。性能を向上させるためにさらに信頼性テストを実行することができ、それにより信頼性テストに合格した場合にのみ、バイナリ仮説テストを実行することができる。
2009505572.tif 000002
【特許請求の範囲】
【請求項１】
無線送受信ユニット（ＷＴＲＵ）が拡張・アップリンク（ＥＵ）送信をハイブリッド自動再送要求（Ｈ−ＡＲＱ）処理を介して送信し、かつ前記ＥＵ送信に応答してＥ−ＨＩＣＨを介してＨ−ＡＲＱインジケータが前記ＷＴＲＵに送られるようにＥＵをサポートする前記ＷＴＲＵを含む無線通信システムにおいて、Ｅ−ＨＩＣＨ送信を検出し、かつ復号化するための方法であって、
（ａ）前記ＷＴＲＵが、Ｈ−ＡＲＱインジケータを伝達するＥ−ＨＩＣＨ送信を受信するステップと、
（ｂ）前記ＷＴＲＵが、バイナリ仮説テストを実行することによって前記Ｈ−ＡＲＱインジケータを検出して結果を生成するステップと、
（ｃ）前記ＷＴＲＵが、前記バイナリ仮説テストの結果に基づき肯定応答（ＡＣＫ）メッセージおよび否定応答（ＮＡＣＫ）メッセージの１つを生成するステップと
を具備することを特徴とする方法。
【請求項２】
前記バイナリ仮説テストは、
前記受信されたＥ−ＨＩＣＨ送信に基づき、ＡＣＫインジケータが検出される条件付き確率、ＮＡＣＫインジケータが検出される条件付き確率の対数尤度比(Log Likelihood Ratio：ＬＬＲ)を判定することと、
前記ＬＬＲを検出閾値と比較することと、
前記ＬＬＲが前記検出閾値未満である場合には、前記Ｈ−ＡＲＱインジケータをＮＡＣＫインジケータとして検出することと、
前記ＬＬＲが前記検出閾値未満でない場合には、前記Ｈ−ＡＲＱインジケータをＡＣＫインジケータとして検出することと、
を具備し、
前記検出されたＨ−ＡＲＱインジケータに基づき、前記ＡＣＫメッセージおよび前記ＮＡＣＫメッセージの１つが生成されることを具備することを特徴とする請求項１に記載の方法。
【請求項３】
信頼性テストを実行するステップであって、該信頼性テストに合格した場合にのみ前記バイナリ仮説テストが実行されるステップをさらに具備することを特徴とする請求項２に記載の方法。
【請求項４】
前記信頼性テストが、
前記Ｅ−ＨＩＣＨのＳＮ比（ＳＮＲ）を測定すること、
前記ＳＮＲをＳＮＲ閾値と比較すること、
前記測定されたＳＮＲが前記ＳＮＲ閾値を超える場合には、該信頼性テストが合格であると宣告すること、
を具備することを特徴とする請求項３に記載の方法。
【請求項５】
前記ＷＴＲＵは、サービス提供無線回線集合（ＲＬＳ）および少なくとも１つの非サービス提供無線回線（ＲＬ）の両方から前記Ｅ−ＨＩＣＨ送信を受信することを特徴とする請求項２に記載の方法。
【請求項６】
前記サービス提供ＲＬＳに関する前記検出閾値は、前記少なくとも１つの非サービス提供ＲＬに関する前記検出閾値と異なって設定されることを特徴とする請求項５に記載の方法。
【請求項７】
前記サービス提供ＲＬＳに関する前記検出閾値は、ゼロ検出閾値であることを特徴とする請求項５に記載の方法。
【請求項８】
前記サービス提供ＲＬＳに関する前記検出閾値は、非ゼロ検出閾値であることを特徴とする請求項５に記載の方法。
【請求項９】
サービス提供Ｅ−ＤＣＨセルからのスケジューリング許可を要求する前記ＷＴＲＵによって送信されるトリガーされたスケジューリング情報に、前記検出されたＨ−ＡＲＱインジケータが関連するかを判定するステップをさらに具備し、前記トリガーされたスケジューリング情報に前記Ｈ−ＡＲＱインジケータが関連する場合には、サービス提供無線回線集合（ＲＬＳ）からのＨ−ＡＲＱインジケータがＡＣＫとして検出された場合にのみ、前記ＡＣＫメッセージが生成されることを特徴とする請求項１に記載の方法。
【請求項１０】
無線送受信ユニット（ＷＴＲＵ）が拡張・アップリンク（ＥＵ）送信をハイブリッド自動再送要求（Ｈ−ＡＲＱ）処理を介して送信し、かつ前記ＥＵ送信に応答してＥ−ＨＩＣＨを介してＨ−ＡＲＱインジケータが前記ＷＴＲＵに送られるようにＥＵをサポートする前記ＷＴＲＵを含む無線通信システムにおいて、Ｅ−ＨＩＣＨ送信を検出し、かつ復号化するためのＷＴＲＵであって、
Ｈ−ＡＲＱインジケータを伝達するＥ−ＨＩＣＨ送信を受信する受信機と、
バイナリ仮説テストを実行することによって前記Ｈ−ＡＲＱインジケータを検出して結果を生成するＨ−ＡＲＱインジケータ検出ユニットと、
前記バイナリ仮説テストの結果に基づき、肯定応答（ＡＣＫ）メッセージおよび否定応答（ＮＡＣＫ）メッセージの１つを生成するＨ−ＡＲＱ処理制御装置と
を具備することを特徴とするＷＴＲＵ。
【請求項１１】
前記Ｈ−ＡＲＱインジケータ検出ユニットは、
前記受信したＥ−ＨＩＣＨ送信に基づき、ＡＣＫインジケータが検出される条件付き確率、ＮＡＣＫインジケータが検出される条件付き確率の対数尤度比(ＬＬＲ)を計算するＬＬＲ計算ユニットと、
前記ＬＬＲを検出閾値と比較する第１の比較器と
を具備し、
前記Ｈ−ＡＲＱ処理制御装置は、前記ＬＬＲが前記検出閾値未満である場合には前記ＮＡＣＫメッセージを生成し、前記ＬＬＲが前記検出閾値未満でない場合には前記ＡＣＫメッセージを生成することを特徴とする請求項１０に記載のＷＴＲＵ。
【請求項１２】
前記Ｈ−ＡＲＱインジケータ検出ユニットは、信頼性テストを実行するように構成され、前記信頼性テストに合格した場合にのみ、前記バイナリ仮説テストが実行されることを特徴とする請求項１１に記載のＷＴＲＵ。
【請求項１３】
前記Ｅ−ＨＩＣＨのＳＮ比（ＳＮＲ）を測定する測定ユニットと、
前記ＳＮＲをＳＮＲ閾値と比較する第２の比較器と
をさらに具備し、
前記測定されたＳＮＲが前記ＳＮＲ閾値を超える場合にのみ、前記バイナリ仮説テストが実行されることを特徴とする請求項１２に記載のＷＴＲＵ。
【請求項１４】
前記受信機は、サービス提供無線回線集合（ＲＬＳ）および少なくとも１つの非サービス提供無線回線（ＲＬ）の両方から前記Ｅ−ＨＩＣＨ送信を受信することを特徴とする請求項１１に記載のＷＴＲＵ。
【請求項１５】
前記サービス提供ＲＬＳに関する前記検出閾値は、前記少なくとも１つの非サービス提供ＲＬに関する前記検出閾値と異なって設定されることを特徴とする請求項１４に記載のＷＴＲＵ。
【請求項１６】
前記サービス提供ＲＬＳに関する前記検出閾値は、ゼロ検出閾値であることを特徴とする請求項１４に記載のＷＴＲＵ。
【請求項１７】
前記サービス提供ＲＬＳに関する前記検出閾値が、非ゼロ検出閾値であることを特徴とする請求項１４に記載のＷＴＲＵ。
【請求項１８】
サービス提供Ｅ−ＤＣＨセルからスケジューリング許可を要求する前記ＷＴＲＵによって送信されるトリガーされたスケジューリング情報に、前記検出されたＨ−ＡＲＱインジケータが関連するかを判定するように、前記Ｈ−ＡＲＱ処理制御装置が構成され、前記トリガーされたスケジューリング情報に前記Ｈ−ＡＲＱインジケータが関連する場合には、サービス提供無線回線集合（ＲＬＳ）から受信されたＨ−ＡＲＱインジケータがＡＣＫとして検出された場合にのみ、前記ＡＣＫメッセージが生成されることを特徴とする請求項１０に記載のＷＴＲＵ。
【請求項１９】
請求項１０に記載の前記ＷＴＲＵの前記受信機、前記Ｈ−ＡＲＱインジケータ検出ユニット、および前記Ｈ−ＡＲＱ処理制御装置を具備すること、を特徴とする集積回路（ＩＣ）。
【発明の詳細な説明】
【技術分野】
【０００１】
本発明は、無線通信システムに関する。本発明はより詳細には、Ｅ−ＨＩＣＨ（Ｅ−ＤＣＨ（Enhanced Dedicated Channel）Ｈ−ＡＲＱ（Hybrid Automatic Repeat reQuest）Indicator CHannel）送信を検出しかつ復号化するための無線通信方法および装置に関する。
【背景技術】
【０００２】
拡張アップリンク（Enhanced Uplink：ＥＵ）は第３世代パートナーシップ・プロジェクト（３rd Generation Partnership Project：３ＧＰＰ）の周波数分割複信（Frequency Division Duplex：ＦＤＤ）システムにおける主要な特徴の１つである。ＥＵは５．７６Ｍｂｐｓの最大データ速度を提供する。ＥＵ動作をサポートするために、いくつかの下り回線の物理チャンネルが提供され、制御情報を送信する。下り回線物理チャンネルの１つがＥ−ＨＩＣＨである。
【０００３】
図１は、ＥＵをサポートする従来の無線通信システム１００のブロック図である。システム１００は、無線送受信ユニット（Wireless Transmit/Receive Unit：ＷＴＲＵ）１０２、ノードＢ（Node-B）１０４、および無線ネットワーク制御装置（Radio Network Controller：ＲＮＣ）１０６を具備する。ＲＮＣ １０６は、初期送信電力レベル、許容最大送信電力、またはノードＢごとの使用可能チャンネルリソースなどの、ノードＢ １０４およびＷＴＲＵ １０２に関するＥ−ＤＣＨパラメータを設定することによって、全体的なＥ−ＤＣＨ動作を制御する。ＷＴＲＵ １０２とノードＢ １０４の間で、Ｅ−ＤＣＨ １０８、Ｅ−ＤＰＣＣＨ（E-DCH Dedicated Physical Control CHannel）１１０、Ｅ−ＡＧＣＨ（E- DCH Absolute Grant CHannel）１１２、Ｅ−ＲＧＣＨ（E-DCH Relative Grant CHannel）１１４、およびＥ−ＨＩＣＨ １１６が、Ｅ−ＤＣＨ動作をサポートするために確立される。
【０００４】
Ｅ−ＤＣＨ送信に関して、ＷＴＲＵ １０２は、無線リソース制御（Radio Resource Control：ＲＲＣ）が決定する論理チャンネル用の、報告動作が為されることが必要であるとの、トリガーされたスケジューリング情報（速度要求としてもまた知られる）をＥ−ＤＣＨ １０８を介してノード Ｂ１０４に送る。ノードＢ １０４は、Ｅ−ＡＧＣＨ １１２またはＥ−ＲＧＣＨ １１４を介してスケジューリング許可をＷＴＲＵ １０２に送る。ＷＴＲＵ １０２に対してＥ−ＤＣＨ無線リソースが割り付けられた後に、ＷＴＲＵ１０２はＥ−ＤＣＨ １０８を介して上り回線（UpLink：ＵＬ）データを送信する。Ｅ−ＤＣＨまたはＥ−ＤＰＣＣＨ送信に応答して、ノードＢ １０４は、Ｅ−ＨＩＣＨ １１６を介してＨ−ＡＲＱ動作に対する肯定応答（ACKnowledgement：ＡＣＫ）または否定応答（Non-ACKnowledgement：ＮＡＣＫ）のメッセージを送る。
【発明の開示】
【発明が解決しようとする課題】
【０００５】
Ｅ−ＨＩＣＨ１１６は、Ｅ−ＤＣＨデータの高速の送信および再送信のために非常に重要なチャンネルである。したがって、Ｅ−ＨＩＣＨ送信の信頼性のある検出がＥＵ動作にとって重要である。Ｅ−ＨＩＣＨ送信を成功裏に検出し復号化することは、Ｅ−ＤＣＨに関するデータ送信の性能に著しく影響し、そしてＥＵシステム全体の性能に影響を及ぼす。したがって、Ｅ−ＨＩＣＨ送信を効率的に検出し、かつ復号化するための方法および装置を有することが望ましい。
【課題を解決するための手段】
【０００６】
本発明は、Ｅ−ＨＩＣＨ送信を検出しかつ復号化するための無線通信方法および装置に関する。ＷＴＲＵは、Ｅ−ＨＩＣＨ送信を受信し、バイナリ仮説テスト（binary hypothesis test）を実行することによってＥ−ＨＩＣＨを介して送られたＨ−ＡＲＱインジケータを検出する。ＷＴＲＵは次に、検出されたＨ−ＡＲＱインジケータに基づきＡＣＫメッセージまたはＮＡＣＫメッセージを生成する。性能を向上させるためにさらに信頼性テストを実行することができ、それによって、信頼性テストに合格した場合にのみ、バイナリ仮説テストを実行することができる。
【発明を実施するための最良の形態】
【０００７】
一例として与えられ、かつ添付図面に関連して理解されるべき以下の記述から、本発明のより詳細な理解を得ることができる。
【０００８】
用語「ＷＴＲＵ」は今後参照される場合には、限定するものではないが、ユーザ機器（User Equipment：ＵＥ）、移動局、固定または移動体の加入者ユニット、ページャ、または無線環境において動作できる他の型のいかなるデバイスをも含む。用語「ノードＢ」は今後参照される場合には、限定するものではないが、基地局、サイト制御装置、アクセス・ポイント、または無線環境における他の型のいかなるインタフェース・デバイスをも含む。
【０００９】
本発明の特徴は、集積回路（Integrated Circuit：ＩＣ）に組み込むこと、または多数の相互接続された部品を具備する回路にて構成することができる。
【００１０】
図２は、本発明による、Ｅ−ＨＩＣＨ送信を検出しかつ復号化するための処理２００のフロー図である。ステップ２０２においては、ＷＴＲＵが、サービス提供無線回線集合（Radio Link Set：ＲＬＳ）、および場合によっては少なくとも１つの非サービス提供無線回線（Radio Link：ＲＬ）からもまた、Ｅ−ＨＩＣＨ送信を受信する。サービス提供ＲＬＳは、少なくともサービス提供Ｅ−ＤＣＨセルを含むセルの集合であり、ＷＴＲＵが絶対許可（absolute grant）を受信するセルの集合である。ＷＴＲＵはサービス提供ＲＬＳから相対許可（relative grant）（群）を受信することができる。サービス提供ＲＬＳからＷＴＲＵが複数の相対許可を受信した場合には、受信したＳＮ比（Signal-to-Noise Ratio：ＳＮＲ）および信号品質を改善するために、受信した相対許可をソフト結合することができる。ＷＴＲＵは、サービス提供ＲＬＳを１つだけ有する。非サービス提供ＲＬは、Ｅ−ＤＣＨアクティブ集合に属するセルであるが、サービス提供ＲＬＳには属さずに、ＷＴＲＵが相対許可を受信することができるセルである。ＷＴＲＵは、ゼロ、１またはいくつかの非サービス提供ＲＬ（群）を有することができる。ステップ２０４においては、ＷＴＲＵは、バイナリ仮説テストを実行することによって、それぞれのＥ−ＨＩＣＨ送信からＨ−ＡＲＱインジケータを検出しかつ復号化する。これは、以下で詳細に説明される。ステップ２０６においては、ＷＴＲＵは、検出されたＨ−ＡＲＱインジケータに基づきＡＣＫメッセージまたはＮＡＣＫメッセージを生成する。
【００１１】
Ｈ−ＡＲＱインジケータの検出は、サービス提供ＲＬＳおよび非サービス提供ＲＬの両方に対するバイナリ仮説テストにより実行される。また随意的に、追加的性能改善のため、信頼性テストをバイナリ仮説テストと組み合わせて実行できすることができる。これは以下に詳細に説明されることになる。
【００１２】
サービス提供ＲＬＳまたは非サービス提供ＲＬによって送信されたＨ−ＡＲＱインジケータは、ＡＣＫインジケータまたはＮＡＣＫインジケータの何れかであることができる。サービス提供ＲＬＳからのＨ−ＡＲＱインジケータは、ゼロの検出閾値により検出することができ、一方非サービス提供ＲＬからのＨ−ＡＲＱインジケータは、非ゼロ検出閾値により検出することができる。あるいは、ＡＣＫインジケータおよびＮＡＣＫインジケータの検出において性能要件が異なる場合には、サービス提供ＲＬＳからのＨ−ＡＲＱインジケータを、非ゼロ検出閾値により検出することができる。この場合には、非サービス提供ＲＬからのＨ−ＡＲＱインジケータの検出用の非対称の検出閾値が必要である。
【００１３】
Ｅ−ＨＩＣＨは、相関およびソフト結合の後のｌ番目のＲＬＳに対する平均エネルギーＥｌを有すると仮定する。最初のＲＬＳ（すなわち、ｌ＝１）はサービス提供ＲＬＳであり、残りのＲＬＳ（すなわち、ｌ＝２,...,Ｌ）は非サービス提供ＲＬであると、一般性を喪失することなく仮定できる。サービス提供ＲＬＳに関しては、ＡＣＫインジケータおよびＮＡＣＫインジケータが、それぞれ
【００１４】
【数１】
2009505572.tif 000003
【００１５】
および
【００１６】
【数２】
2009505572.tif 000004
【００１７】
の振幅で送られる。非サービス提供ＲＬに関しては、ＡＣＫインジケータおよびＮＡＣＫインジケータが、それぞれ
【００１８】
【数３】
2009505572.tif 000005
【００１９】
および０の振幅により送られる。
【００２０】
ｙ（ｌ）は、ｌ番目のＲＬＳに関する相関の後のソフトインジケータ（すなわち、ソフト・サンプル）を意味する。ＡＣＫインジケータおよびＮＡＣＫインジケータの検出に関するバイナリ仮説テストに対する対数尤度比(Log Likelihood Ratio：ＬＬＲ)は、以下の通り表される。
【００２１】
【数４】
2009505572.tif 000006
【００２２】
ここで、Ｈ０およびＨ１は、それぞれ仮説テストのＮＡＣＫおよびＡＣＫを意味する。
【００２３】
相関後に分散
【００２４】
【数５】
2009505572.tif 000007
【００２５】
を有する白色ガウス雑音を仮定すると、サービス提供ＲＬＳに関するΗ−ＡＲＱインジケータは、ＡＣＫインジケータまたはＮＡＣＫインジケータとして次のように検出される。
【００２６】
【数６】
2009505572.tif 000008
【００２７】
なら、ＡＣＫインジケータ、そうでないなら、ＮＡＣＫインジケータ。
ここで、
【００２８】
【数７】
2009505572.tif 000009
【００２９】
は、相関およびソフト結合の後での、サービス提供ＲＬＳ（すなわち、ｌ＝１）に対するＥ−ΗＩＣΗの平均ＳＮＲを意味する。
【００３０】
非サービス提供ＲＬに関するバイナリ仮説テストに対するＬＬＲは次のように表現される。
【００３１】
【数８】
2009505572.tif 000010
【００３２】
非サービス提供ＲＬに関するΗ−ＡＲＱインジケータは、ＡＣＫインジケータまたはＮＡＣＫインジケータとして次にように検出される。
【００３３】
【数９】
2009505572.tif 000011
【００３４】
なら、ＡＣＫインジケータ、そうでないなら、ＮＡＣＫインジケータ。
ここで、γｌは、相関後での、非サービス提供ＲＬ（ｌ番目のＲＬＳ、すなわち、ｌ＝２,３,...,Ｌ）に関するＥ−ΗＩＣΗの平均ＳＮＲを意味する。Ｔ（ｌ）は、ｌ番目のＲＬＳに関する検出閾値である。Ｔ（ｌ）は、すべての非サービス提供ＲＬに関して同一である場合があり、または検出用の設計および性能要件に基づき、非サービス提供ＲＬの間で異なる場合がある。
【００３５】
複数の測定値が利用可能である場合には、複数測定値仮説テストを使用するＨ−ＡＲＱインジケータの検出を実行することができる。Ｍ個の測定値があると仮定する。
【００３６】
【数１０】
2009505572.tif 000012
【００３７】
は、ｌ番目のＲＬＳおよびｍ番目の相関出力すなわちＥ−ＨＩＣＨに関する復号化測定値に対する、相関後のソフトインジケータ（すなわち、ソフト・サンプル）を意味する。同様に、最初のＲＬＳ（すなわち、ｌ＝１）はサービス提供ＲＬＳであり、残りのＲＬＳ（すなわち、ｌ＝２,...,Ｌ）は非サービス提供ＲＬであると、一般性を喪失することなく仮定できる。サービス提供ＲＬＳに関するＡＣＫインジケータおよびＮＡＣＫインジケータの検出に関する複数測定値仮説テストに対するＬＬＲは、次のように表現される。
【００３８】
【数１１】
2009505572.tif 000013
【００３９】
サービス提供ＲＬＳに関するＨ−ＡＲＱインジケータは、複数測定値仮説テストを使用するＡＣＫインジケータまたはＮＡＣＫインジケータとして次のように検出される。
【００４０】
【数１２】
2009505572.tif 000014
【００４１】
なら、ＡＣＫインジケータ、そうでないなら、ＮＡＣＫインジケータ。
【００４２】
非サービス提供ＲＬに関するＨ−ＡＲＱインジケータは、ＡＣＫインジケータまたはＮＡＣＫインジケータとして次のように検出される。
【００４３】
【数１３】
2009505572.tif 000015
【００４４】
なら、ＡＣＫインジケータ、そうでないなら、ＮＡＣＫインジケータ。
Ｔ（ｌ）は、ｌ番目のＲＬＳに関する検出閾値である。Ｔ（ｌ）は、すべての非サービス提供ＲＬに関して同一である場合があり、または、検出用の設計および性能要件に基づき、非サービス提供ＲＬの間で異なる場合がある。
【００４５】
図３は、本発明によるＨ−ＡＲＱインジケータを検出するための処理３００に関するフロー図である。ＷＴＲＵは、サービス提供ＲＬＳおよび少なくとも１つの非サービス提供ＲＬからＥ−ＨＩＣＨ送信を受信する（ステップ３０２）。第１のＲＬＳからのＥ−ＨＩＣＨ送信が選択される（ステップ３０４）。次に、随意の信頼性テストを実行することができる。性能要件を満足したいくつかの場合には、この信頼性テストを実行しない場合がある。信頼性テストに関して、選択されたＥ−ＨＩＣＨ送信のＳＮＲ（測定値または計算値）がＳＮＲ閾値と比較される（ステップ３０６）。ＳＮＲがＳＮＲ閾値より大でないなら、信頼性テストは失敗となり、処理３００はステップ３０８に進み、次のＲＬＳからＥ−ＨＩＣＨ送信を選択する。ＳＮＲがＳＮＲ閾値に等しいか、またはＳＮＲ閾値より大の場合には、Ｅ−ＨＩＣＨ送信の受信は、信号品質の点から見て信頼できると言え、さらにバイナリ仮説テストが実行される。
【００４６】
バイナリ仮説テストに関して、選択されたＥ−ＨＩＣＨ送信は、サービス提供ＲＬＳからか、または非サービス提供ＲＬ（群）からかが先ず判定される（ステップ３１０）。選択されたＥ−ＨＩＣＨ送信がサービス提供ＲＬＳからであることがステップ３１０において判定された場合には、ＬＬＲはゼロ検出閾値と比較される。ＬＬＲが、ゼロ検出閾値より大である場合には、サービス提供ＲＬＳに関するＡＣＫインジケータが検出され（ステップ３１６）、ＬＬＲが、ゼロ検出閾値より大でない場合には、サービス提供ＲＬＳに関するＮＡＣＫインジケータが検出される（ステップ３１８）。選択されたＥ−ＨＩＣＨ送信が非サービス提供ＲＬＳからであることがステップ３１０において判定された場合には、ＬＬＲは非ゼロ検出閾値と比較される（ステップ３１４）。ＬＬＲが、検出閾値より大である場合には、非サービス提供ＲＬに関するＡＣＫインジケータが検出され（ステップ３１６）、ＬＬＲが、検出閾値より大でない場合には、非サービス提供ＲＬに関するＮＡＣＫインジケータが検出される（ステップ３１８）。あるいは、サービス提供ＲＬＳに対して非ゼロ検出閾値を使用する場合があり、サービス提供ＲＬＳおよび非サービス提供ＲＬの両方に対してＡＣＫおよびＮＡＣＫの間で非対称の検出閾値を使用する場合がある。
【００４７】
図４は、本発明によるＡＣＫメッセージまたはＮＡＣＫメッセージを生成するための処理４００のフロー図である。マクロ・ダイバーシチ結合が実施された場合には、ＷＴＲＵは、サービス提供ＲＬＳおよび非サービス提供ＲＬ（群）から複数のＨ−ＡＲＱインジケータを受信する場合がある。異なったＲＬ群からのＨ−ＡＲＱインジケータは、互いに独立である。一般に、ＷＴＲＵが任意のＲＬ群から少なくとも１つのＡＣＫインジケータを検出する場合には、ＷＴＲＵはＡＣＫメッセージを生成し、ＷＴＲＵが何れのＡＣＫインジケータも検出しなかった場合には、ＮＡＣＫメッセージを生成する。サービス提供Ｅ−ＤＣＨセルからのスケジューリング許可を要求するためにＷＴＲＵによって送られた、トリガーされたスケジューリング情報に関連する、Ｈ−ＡＲＱインジケータは例外である。これは、以下に詳細に説明する。
【００４８】
ＷＴＲＵは、サービス提供ＲＬＳおよび少なくとも１つの非サービス提供ＲＬからのＨ−ＡＲＱインジケータを絶え間なく監視する（ステップ４０２）。ステップ４０４にて何れかのＨ−ＡＲＱインジケータが検出されたと判定される場合には、ＷＴＲＵは、検出されたＨ−ＡＲＱインジケータがトリガーされたスケジューリング情報に関連するかを判定する（ステップ４０６）。
【００４９】
検出されたＨ−ＡＲＱインジケータがトリガーされたスケジューリング情報に関連しない場合には、ＷＴＲＵは、サービス提供ＲＬＳまたは非サービス提供ＲＬ（群）の何れかから少なくとも１つのＡＣＫインジケータが受信されているかをさらに判定する（ステップ４１２）。少なくとも１つのＡＣＫインジケータが受信されている場合には、ＷＴＲＵはＡＣＫメッセージを生成する（ステップ４２２）。ＡＣＫインジケータが受信されていない場合には、ＷＴＲＵはＮＡＣＫメッセージを生成する（ステップ４２０）。
【００５０】
ステップ４０６において、検出されたＨ−ＡＲＱインジケータがトリガーされたスケジューリング情報に関連すると判定された場合には、サービス提供ＲＬＳから少なくとも１つのＡＣＫインジケータが受信されているかをさらに判定する（ステップ４０８）。トリガーされたスケジューリング情報の場合には、サービス提供ＲＬＳでのスケジューリング情報の受信の成否を表すために、ＡＣＫインジケータまたはＮＡＣＫインジケータがサービス提供ＲＬＳからＷＴＲＵに送られるべきである。サービス提供セルのみが、トリガーされたスケジューリング情報に応答してスケジューリング許可を送ることが可能であるため、ＡＣＫ／ＮＡＣＫインジケータは、サービス提供ＲＬＳおよび非サービス提供ＲＬ（群）の間で識別される。ステップ４０８において、サービス提供ＲＬＳから少なくとも１つのＡＣＫインジケータが受信されたと判定される場合には、ＷＴＲＵによってサービス提供ＲＬＳに関するＡＣＫメッセージが生成される（ステップ４１８）。ステップ４０８において、サービス提供ＲＬＳからＡＣＫインジケータが全く受信されていないと判定される場合には、非サービス提供ＲＬ（群）から少なくとも１つのＡＣＫインジケータが受信されているかを次に判定する（ステップ４１０）。非サービス提供ＲＬからＡＣＫインジケータが受信されている場合には、非サービス提供ＲＬ（群）に関するＡＣＫメッセージが生成される（ステップ４１４）。非サービス提供ＲＬ（群）からＡＣＫインジケータが全く受信されていない場合には、ＮＡＣＫメッセージが生成される（ステップ４１６）。
【００５１】
非サービス提供Ｅ−ＤＣＨのＲＬは、トリガーされたスケジューリング情報に応答するためにＷＴＲＵに絶対許可を送っているサービス提供Ｅ−ＤＣＨセルに、受信したトリガーされたスケジューリング情報を転送しない。トリガーされたスケジューリング情報の送信に応答してサービス提供Ｅ−ＤＣＨセルに関してＷＴＲＵによってＡＣＫが受信される場合には、トリガーされたスケジューリング情報の送信が、サービス提供Ｅ−ＤＣＨセルにおいてサービス提供セル・スケジューラによって首尾よく受信されたことを表す。トリガーされたスケジューリング情報以外のデータに関しては、サービス提供ＲＬＳまたは非サービス提供ＲＬ（群）の何れかからの少なくとも１つのＡＣＫがある場合には、サービス提供ＲＬＳより高位のコア・ネットワークにおいてデータが処理されるため、そのデータにとってそれで十分である。トリガーされたスケジューリング情報の送信に応答して、ＷＴＲＵによって、サービス提供Ｅ−ＤＣＨ  ＲＬＳに関してＮＡＣＫが受信されたが、非サービス提供ＲＬ（群）に関してＡＣＫが受信された場合には、トリガーされたスケジューリング情報は再送信されるべきである。ＡＣＫまたはＮＡＣＫメッセージの生成の後に、処理４００は次の送信時間間隔（Transmission Time Interval：ＴＴＩ）まで待機する（ステップ４２４）。
【００５２】
図５は、本発明に従って構成された例示的なＷＴＲＵ ５００のブロック図である。ＷＴＲＵ ５００には、受信機５０２、Ｈ−ＡＲＱインジケータ検出ユニット５０４、複数のＨ−ＡＲＱ処理５０６、Ｈ−ＡＲＱ処理制御装置５０８、測定ユニット５１０、および比較器５１２が含まれる。受信機５０２は、サービス提供ＲＬＳおよび非サービス提供ＲＬからＥ−ＨＩＣＨ送信を受信する。Ｈ−ＡＲＱインジケータ検出ユニット５０４は、既に説明したようにバイナリ仮説テストを実行することによりＥ−ＨＩＣＨを介して送信されたＨ−ＡＲＱインジケータを検出する。Ｈ−ＡＲＱ処理制御装置５０８は、Ｈ−ＡＲＱ処理５０６を制御し、検出されたＨ−ＡＲＱインジケータに基づきＡＣＫまたはＮＡＣＫメッセージを生成する。
【００５３】
Ｈ−ＡＲＱインジケータ検出ユニット５０４には、ＬＬＲ計算ユニット５１４および比較器５１６が含まれる。ＬＬＲ計算ユニット５１４は、Ｅ−ＨＩＣＨ送信に際してＡＣＫおよびＮＡＣＫの条件付き確率のＬＬＲを計算する。比較器５１６は、ＬＬＲを検出閾値と比較する。Ｈ−ＡＲＱ処理制御装置５０８は、ＬＬＲが検出閾値未満である場合にはＮＡＣＫメッセージを生成し、ＬＬＲが検出閾値未満でない場合には、ＡＣＫメッセージを生成する。測定ユニット５１０は、Ｅ−ＨＩＣＨのＳＮＲを測定し、比較器５１２は、そのＳＮＲを信頼性テストを実行するためのＳＮＲ閾値と比較する。
【００５４】
＜実施形態＞
１．無線通信システムにおいてＥ−ＨＩＣＨ送信を検出し、かつ復号化する方法。
【００５５】
２．ＷＴＲＵが、Ｈ−ＡＲＱインジケータを伝達するＥ−ＨＩＣＨ送信を受信するステップを具備する実施形態１に記載の方法。
【００５６】
３．前記ＷＴＲＵが、バイナリ仮説テストを実行することによって前記Ｈ−ＡＲＱインジケータを検出するステップを具備する実施形態２に記載の方法。
【００５７】
４．前記バイナリ仮説テストの結果に基づき、前記ＷＴＲＵが、ＡＣＫメッセージおよびＮＡＣＫメッセージの１つを生成するステップを具備する実施形態３に記載の方法。
【００５８】
５．前記バイナリ仮説テストが、前記受信されたＥ−ＨＩＣＨ送信に基づき、ＡＣＫインジケータが検出される条件付き確率、ＮＡＣＫインジケータが検出される条件付き確率のＬＬＲを決定するステップを具備する実施形態３〜４の何れかに記載の方法。
【００５９】
６．前記ＬＬＲを検出閾値と比較するステップを具備する実施形態５に記載の方法。
【００６０】
７．前記ＬＬＲが前記検出閾値未満である場合には、前記Ｈ−ＡＲＱインジケータをＮＡＣＫインジケータとして検出するステップを具備する実施形態６に記載の方法。
【００６１】
８．前記ＬＬＲが前記検出閾値未満でない場合には、前記Ｈ−ＡＲＱインジケータをＡＣＫインジケータとして検出するステップを具備する実施形態６〜７の何れかに記載の方法。
【００６２】
９．前記検出されたＨ−ＡＲＱインジケータに基づき、前記ＡＣＫメッセージおよび前記ＮＡＣＫメッセージの１つを生成するステップを具備する実施形態６〜８の何れかに記載の方法。
【００６３】
１０．信頼性テストを実行するステップをさらに具備する実施形態１〜９の何れかに記載の方法。
【００６４】
１１．前記信頼性テストに合格した場合にのみ、前記バイナリ仮説テストが実行される実施形態１０に記載の方法。
【００６５】
１２．前記信頼性テストが、前記Ｅ−ＨＩＣＨのＳＮＲを測定するステップを具備する実施形態１０〜１１の何れかに記載の方法。
【００６６】
１３．前記信頼性テストが、前記ＳＮＲをＳＮＲ閾値と比較するステップを具備する実施形態１２に記載の方法。
【００６７】
１４．前記信頼性テストが、前記測定されたＳＮＲが前記ＳＮＲ閾値を超える場合には、該信頼性テストが合格であると宣告するステップを具備する実施形態１３に記載の方法。
【００６８】
１５．前記ＷＴＲＵが、サービス提供ＲＬＳおよび少なくとも１つの非サービス提供ＲＬの両方から前記Ｅ−ＨＩＣＨ送信を受信する実施形態２〜１４の何れかに記載の方法。
【００６９】
１６．前記サービス提供ＲＬＳに関する前記検出閾値が、前記少なくとも１つの非サービス提供ＲＬに関する前記検出閾値と異なって設定される実施形態１５に記載の方法。
【００７０】
１７．前記サービス提供ＲＬＳに関する前記検出閾値が、ゼロ検出閾値である実施形態１５に記載の方法。
【００７１】
１８．前記サービス提供ＲＬＳに関する前記検出閾値が、非ゼロ検出閾値である実施形態１５に記載の方法。
【００７２】
１９．サービス提供Ｅ−ＤＣＨセルからのスケジューリング許可を要求する前記ＷＴＲＵによって送信されるトリガーされたスケジューリング情報に、前記検出されたＨ−ＡＲＱインジケータが関連するかを判定するステップをさらに具備する実施形態３〜１８の何れかに記載の方法。
【００７３】
２０．前記トリガーされたスケジューリング情報に前記Ｈ−ＡＲＱインジケータが関連する場合には、サービス提供ＲＬＳからのＨ−ＡＲＱインジケータがＡＣＫとして検出された場合にのみ、前記ＡＣＫメッセージが生成される実施形態１９に記載の方法。
【００７４】
２１．無線通信システムにおいてＥ−ＨＩＣＨ送信を検出し、かつ復号化するＷＴＲＵ。
【００７５】
２２．Ｈ−ＡＲＱインジケータを伝達するＥ−ＨＩＣＨ送信を受信するための受信機を具備する実施形態２１に記載のＷＴＲＵ。
【００７６】
２３．バイナリ仮説テストを実行することによって前記Ｈ−ＡＲＱインジケータを検出して結果を生成するＨ−ＡＲＱインジケータ検出ユニットを具備する実施形態２２に記載のＷＴＲＵ。
【００７７】
２４．前記バイナリ仮説テストの結果に基づき、ＡＣＫメッセージおよびＮＡＣＫメッセージの１つを生成するためのＨ−ＡＲＱ処理制御装置を具備する実施形態２３に記載のＷＴＲＵ。
【００７８】
２５．前記Ｈ−ＡＲＱインジケータ検出ユニットが、前記受信されたＥ−ＨＩＣＨ送信に基づき、ＡＣＫインジケータが検出される条件付き確率、ＮＡＣＫインジケータが検出される条件付き確率のＬＬＲを計算するためのＬＬＲ計算ユニットを具備する実施形態２３〜２４の何れかに記載のＷＴＲＵ。
【００７９】
２６．前記Ｈ−ＡＲＱインジケータ検出ユニットが、前記ＬＬＲを検出閾値と比較するために第１の比較器を具備する実施形態２５に記載のＷＴＲＵ。
【００８０】
２７．前記Ｈ−ＡＲＱ処理制御装置が、前記ＬＬＲが前記検出閾値未満である場合には、前記ＮＡＣＫメッセージを生成し、かつ前記ＬＬＲが前記検出閾値未満でない場合には、前記ＡＣＫメッセージを生成する実施形態２４〜２６の何れかに記載のＷＴＲＵ。
【００８１】
２８．前記Ｈ−ＡＲＱインジケータ検出ユニットが、信頼性テストを実行するように構成される実施形態２３〜２７の何れかに記載のＷＴＲＵ。
【００８２】
２９．前記信頼性テストに合格した場合にのみ、前記バイナリ仮説テストが実行される実施形態２８に記載のＷＴＲＵ。
【００８３】
３０．前記Ｅ−ＨＩＣＨのＳＮＲを測定する測定ユニットをさらに具備する実施形態２８〜２９の何れかに記載のＷＴＲＵ。
【００８４】
３１．前記ＳＮＲをＳＮＲ閾値と比較する第２の比較器を具備する実施形態３０に記載のＷＴＲＵ。
【００８５】
３２．前記測定されたＳＮＲが前記ＳＮＲ閾値を超える場合にのみ、前記バイナリ仮説テストが実行される実施形態３１に記載のＷＴＲＵ。
【００８６】
３３．前記受信機が、サービス提供ＲＬＳおよび少なくとも１つの非サービス提供ＲＬの両方から前記Ｅ−ＨＩＣＨ送信を受信する実施形態２２〜３２の何れかに記載のＷＴＲＵ。
【００８７】
３４．前記サービス提供ＲＬＳに対する前記検出閾値が、前記少なくとも１つの非サービス提供ＲＬに関する前記検出閾値と異なって設定される実施形態３３に記載のＷＴＲＵ。
【００８８】
３５．前記サービス提供ＲＬＳに関する前記検出閾値が、ゼロ検出閾値である実施形態３３に記載のＷＴＲＵ。
【００８９】
３６．前記サービス提供ＲＬＳに関する前記検出閾値が、非ゼロ検出閾値である実施形態３３に記載のＷＴＲＵ。
【００９０】
３７．サービス提供Ｅ−ＤＣＨセルからのスケジューリング許可を要求する前記ＷＴＲＵによって送信されるトリガーされたスケジューリング情報に、前記検出されたＨ−ＡＲＱインジケータが関連するかを判定するように、前記Ｈ−ＡＲＱ処理制御装置が構成される実施形態２４〜３７の何れかに記載のＷＴＲＵ。
【００９１】
３８．前記トリガーされたスケジューリング情報に前記Ｈ−ＡＲＱインジケータが関連する場合には、サービス提供ＲＬＳから受信されたＨ−ＡＲＱインジケータがＡＣＫとして検出された場合にのみ、前記ＡＣＫメッセージが生成される実施形態３７に記載のＷＴＲＵ。
【００９２】
３９．実施形態２４〜３８の何れかに記載の前記ＷＴＲＵの前記受信機、前記Ｈ−ＡＲＱインジケータ検出ユニット、および前記Ｈ−ＡＲＱ処理制御装置を具備するＩＣ。
【００９３】
本発明の特徴および要素が好適な実施形態において特定の組み合わせにて記述されているが、それぞれの特徴または要素は、好適な実施形態の他の特徴および要素なしで単独で、または本発明の他の特徴および要素のあるなしにかかわらず、様々な組み合わせにて使用可能である。
【図面の簡単な説明】
【００９４】
【図１】従来の無線通信システムのブロック図である。
【図２】本発明による、Ｅ−ＨＩＣＨ送信を検出しかつ復号化するための処理のフロー図である。
【図３】本発明による、Ｈ−ＡＲＱインジケータを検出するための処理のフロー図である。
【図４】本発明による、検出されたＨ−ＡＲＱインジケータからＡＣＫメッセージまたはＮＡＣＫメッセージを生成するための処理のフロー図である。
【図５】本発明によって構成された代表的ＷＴＲＵのブロック図である。
【図１】
2009505572.tif 000016
【図２】
2009505572.tif 000017
【図３】
2009505572.tif 000018
【図４】
2009505572.tif 000019
【図５】
2009505572.tif 000020
【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
Ｅ−ＨＩＣＨ送信を検出し、かつ復号化するための方法であって、
Ｈ−ＡＲＱインジケータを伝達するＥ−ＨＩＣＨ送信を受信するステップと、
前記受信したＥ−ＨＩＣＨ送信に基づき、肯定応答（ＡＣＫ）インジケータが送信される条件付き確率、否定応答（ＮＡＣＫ）インジケータが送信される条件付き確率の対数尤度比(ＬＬＲ)を計算するステップと、
前記ＬＬＲを検出閾値と比較するステップと、
前記ＬＬＲが前記検出閾値未満である場合には、前記Ｈ−ＡＲＱインジケータをＮＡＣＫインジケータとして判定するステップと、
前記ＬＬＲが前記検出閾値未満でない場合には、前記Ｈ−ＡＲＱインジケータをＡＣＫインジケータとして判定するステップと
を具備することを特徴とする方法。
【請求項２】
信頼性テストを実行するステップをさらに備え、該信頼性テストに合格した場合にのみ前記ＬＬＲが計算され、かつ前記検出閾値と比較されることを特徴とする請求項１に記載の方法。
【請求項３】
前記信頼性テストが、
前記Ｅ−ＨＩＣＨのＳＮ比（ＳＮＲ）を測定すること、
前記ＳＮＲをＳＮＲ閾値と比較すること、
前記測定されたＳＮＲが前記ＳＮＲ閾値を超える場合には、該信頼性テストが合格であると宣告すること、
を具備することを特徴とする請求項２に記載の方法。
【請求項４】
前記Ｅ−ＨＩＣＨ送信は、サービス提供無線回線集合（ＲＬＳ）および少なくとも１つの非サービス提供無線回線（ＲＬ）の両方から受信されることを特徴とする請求項１に記載の方法。
【請求項５】
前記サービス提供ＲＬＳに関する検出閾値は、前記少なくとも１つの非サービス提供ＲＬに関する検出閾値と異なって設定されることを特徴とする請求項４に記載の方法。
【請求項６】
前記サービス提供ＲＬＳに関する前記検出閾値は、ゼロ検出閾値であることを特徴とする請求項５に記載の方法。
【請求項７】
前記サービス提供ＲＬＳに関する前記検出閾値は、非ゼロ検出閾値であることを特徴とする請求項５に記載の方法。
【請求項８】
サービス提供Ｅ−ＤＣＨセルからのスケジューリング許可を要求するために送信されるトリガーされたスケジューリング情報に、前記Ｈ−ＡＲＱインジケータが関連するかを判定するステップをさらに具備し、前記トリガーされたスケジューリング情報に前記Ｈ−ＡＲＱインジケータが関連する場合には、サービス提供無線回線集合（Radio Link Set：ＲＬＳ）からのＨ−ＡＲＱインジケータがＡＣＫとして検出された場合にのみ、ＡＣＫメッセージが生成されることを特徴とする請求項１に記載の方法。
【請求項９】
Ｅ−ＨＩＣＨ送信を検出し、かつ復号化するためのＷＴＲＵであって、
Ｈ−ＡＲＱインジケータを伝達するＥ−ＨＩＣＨ送信を受信する受信機と、
前記受信したＥ−ＨＩＣＨ送信に基づき、肯定応答（ＡＣＫ）インジケータが送信される条件付き確率、否定応答（ＮＡＣＫ）インジケータが送信される条件付き確率の対数尤度比(ＬＬＲ)を計算するためのＬＬＲ計算ユニットと、前記ＬＬＲを検出閾値と比較するための比較器と、を具備するＨ−ＡＲＱインジケータ検出ユニットであって、前記ＬＬＲが前記検出閾値未満でない場合にはＡＣＫが検出され、前記ＬＬＲが前記検出閾値未満である場合にはＮＡＣＫが検出される、Ｈ−ＡＲＱインジケータ検出ユニットと、
ＡＣＫメッセージおよびＮＡＣＫメッセージの１つを生成するＨ−ＡＲＱ処理制御装置と
を具備することを特徴とするＷＴＲＵ。
【請求項１０】
前記Ｈ−ＡＲＱインジケータ検出ユニットは、信頼性テストを実行するように構成され、前記信頼性テストに合格した場合にのみ、前記ＬＬＲが計算され、かつ前記検出閾値と比較されることを特徴とする請求項９に記載のＷＴＲＵ。
【請求項１１】
前記Ｅ−ＨＩＣＨのＳＮ比（ＳＮＲ）を測定する測定ユニットと、
前記ＳＮＲをＳＮＲ閾値と比較する第２の比較器と
をさらに具備し、
前記測定されたＳＮＲが前記ＳＮＲ閾値を超える場合に、前記信頼性テストは合格されたと宣告されることを特徴とする請求項１０に記載のＷＴＲＵ。
【請求項１２】
前記受信機は、サービス提供無線回線集合（ＲＬＳ）および少なくとも１つの非サービス提供無線回線（ＲＬ）の両方から前記Ｅ−ＨＩＣＨ送信を受信することを特徴とする請求項９に記載のＷＴＲＵ。
【請求項１３】
前記サービス提供ＲＬＳに関する検出閾値は、前記少なくとも１つの非サービス提供ＲＬに関する検出閾値と異なって設定されることを特徴とする請求項１２に記載のＷＴＲＵ。
【請求項１４】
前記サービス提供ＲＬＳに関する前記検出閾値は、ゼロ検出閾値であることを特徴とする請求項１３に記載のＷＴＲＵ。
【請求項１５】
前記サービス提供ＲＬＳに関する前記検出閾値が、非ゼロ検出閾値であることを特徴とする請求項１３に記載のＷＴＲＵ。
【請求項１６】
サービス提供Ｅ−ＤＣＨセルからスケジューリング許可を要求する前記ＷＴＲＵによって送信されるトリガーされたスケジューリング情報に、前記検出されたＨ−ＡＲＱインジケータが関連するかを判定するように、前記Ｈ−ＡＲＱ処理制御装置が構成され、前記トリガーされたスケジューリング情報に前記Ｈ−ＡＲＱインジケータが関連する場合には、サービス提供無線回線集合（ＲＬＳ）から受信されたＨ−ＡＲＱインジケータがＡＣＫとして検出された場合にのみ、ＡＣＫメッセージが生成されることを特徴とする請求項９に記載のＷＴＲＵ。
【請求項１７】
Ｅ−ＨＩＣＨ送信を検出し、かつ復号化するための集積回路（ＩＣ）であって、
Ｈ−ＡＲＱインジケータを伝達するＥ−ＨＩＣＨ送信を受信する受信機と、
前記受信したＥ−ＨＩＣＨ送信に基づき、肯定応答（ＡＣＫ）インジケータが送信される条件付き確率、否定応答（ＮＡＣＫ）インジケータが送信される条件付き確率の対数尤度比(ＬＬＲ)を計算するためのＬＬＲ計算ユニットと、前記ＬＬＲを検出閾値と比較するための比較器と、を具備するＨ−ＡＲＱインジケータ検出ユニットであって、前記ＬＬＲが前記検出閾値未満でない場合にはＡＣＫが検出され、前記ＬＬＲが前記検出閾値未満である場合にはＮＡＣＫが検出される、Ｈ−ＡＲＱインジケータ検出ユニットと、
ＡＣＫメッセージおよびＮＡＣＫメッセージの１つを生成するＨ−ＡＲＱ処理制御装置と
を具備することを特徴とするＩＣ。
【国際調査報告】
2009505572.tif 000021